(57)【特許請求の範囲】
【請求項１】
回転ヘッドボックス（１０）の長辺端面の中央部に水平方向に突設された回転軸突起（１１）を、窓枠の対向する垂直側壁に固定設置された回転軸受け（１２）で回転自在に軸支し、
前記回転ヘッドボックス（１０）の短辺両端部の室内側近傍から室内側スラット吊下げコード（３０Ａ）を、そして短辺両端部の窓側近傍から窓側スラット吊下げコード（３０Ｂ）をそれぞれ吊下げ、
前記吊下げた室内側スラット吊下げコード（３０Ａ）を複数枚のスラット（４０）の室内側のスラット孔（４１）に挿入し、かつ該室内側スラット吊下げコード（３０Ａ）を吊下げコード貫入孔（２１）に貫入したスペーサ（２０）により各上下隣接するスラット（４０）を相互に離間保持し、
前記吊下げた窓側スラット吊下げコード（３０Ｂ）を複数枚のスラット（４０）の窓側のスラット孔（４１）に挿入し、かつ前記回転自在に軸支された回転ヘッドボックス（１０）と平行になるように前記各上下隣接するスラットに係止させ、
前記回転自在に軸支された前記回転ヘッドボックス（１０）の人手による回転操作と連動して前記複数枚のスラット（４０）も同時に回転させ、該スラット（４０）の水平方向の開閉角度を変化させることが出来るように構成した小窓用横型ブラインドであり、
更に前記スペーサ（２０）の長さはブラインドの設置場所に応じて任意に選択可能であり、該任意に選択したスペーサの長さに応じて前記離間保持した上下隣接するスラット（４０）間の距離を任意に変更することが出来るように構成され、
更に前記スペーサ（２０）の垂直外面には装飾物（２３）を装着可能とする装飾物装着面（２２）を具備させ、該装飾物装着面へ任意の装飾物を装着させることによりブラインド全体の装飾性向上を図ることができるように構成されたことを特徴とする請求項１記載の小窓用横型ブラインド（１）。
【請求項２】
前記吊下げた室内側スラット吊下げコード（３０Ａ）と同様に、前記吊下げた窓側スラット吊下げコード（３０Ｂ）を前記スペーサ（２０）に貫入させ、該スペーサ（２０）により前記各上下隣接するスラット（４０）を相互に離間保持するように構成されたことを特徴とする請求項１記載の小窓用横型ブラインド（１）。
【請求項３】
前記スペーサ（２０）は、前記装飾物（２３）と装飾物装着面（２２）とを一体成形して構成されたことを特徴とする請求項１記載の小窓用横型ブラインド（１）。
【発明の詳細な説明】
【技術分野】
【０００１】
本願発明は、小窓用横型ブラインドの構造に関し、特に横型ブラインドの連綴する複数枚のスラットの水平方向に対する傾斜角を、従来のラダーコードを使用することなく簡便に変化させることが出来るシンプルなブラインドを実現すると共に、スラット保持コードを貫入させたスペーサにより各スラットを離間挟持する際に、各スペーサ表面に設けられた装飾物装着面に装飾物を付加することでブラインド全体の装飾性を向上させた小窓用横型ブラインドの構成に関する。
【背景技術】
【０００２】
小窓用横型ブラインドは、例えば台所用やドアー等の小窓用に使用されることが多い。大型窓用横型ブラインドと異なりこれ等の小窓用横型ブラインドでは、複雑なメカ構造によりラダーコードを操作してスラット（横方向の羽根）の水平方向に対する傾斜角を変化させる構造ではなく、簡便かつ安価な構成でスラットの傾斜角を変化させる構造が望まれている。また更にこれ等の小窓用ブラインドでは、多くの大型窓用ブラインドのように全体的に無機質的なイメージではなく、外観が可愛く装飾性あるブラインドが求められている。
【０００３】
スラットの傾斜角（チルト角）を変化させる既存の構造については、特定の引例を挙げるまでもなく従来の横型ブラインドでは、ブラインド上部に設けたヘッドボックスから吊下支持されたラダーコードにより、複数のスラットのチルト角を同時に変化させる構造となっている。この場合ヘッドボックス内には複雑なギアー構造が設けられ、通常はこの複雑なギアー構造と連動するスラット角調整用の操作棒を回転操作することで、ラダーコードを構成する両端の垂直コードを上下移動させて、挟持したスラットの傾斜角を変化させるように構成されている。しかしながらこれ等の複雑なギアー構造は、大型窓用横型ブラインドには適するが、本願発明の主題とする安価な小窓用横型ブラインドには大袈裟な構造であり、また比較的コストが高価となる不具合を有する。
【０００４】
一方ブラインドの装飾性に関しては、例えば吊下げられた複数枚のスラット表面に様々な色彩や模様を施されているものが知られている。例えば特開2010-270435にはスラット平面形状を種々に変え、且つ表裏面にそれぞれ異なった装飾部・広告部を付与することで、展開した状態でのデザイン性を高めるブラインドが開示されている。これ等のデザイン性を重視した横型ブラインドは、スラットの開閉を頻繁に行う大型ブラインドに装飾性を付与する構造としては有効である。すなわちスラットを吊り下げるラダーコードと比較してスラット表面が大きな面積比重を有するブラインドに装飾性を施す場合には、この様な構成は確かに優れている。しかしながら本願発明に係る小窓用横型ブラインドの場合にはスラット表面のスペースが比較的狭小であるため、ラダーコードで挟持したスラット表面に装飾性を持たせるのではなく、スラット保持コードを貫入させたスペーサ自体に装飾性を付与することが有効と考えられる。これは小窓用横型ブラインドでは、スラット表面の面積に対してスペーサの面積比重が大きいためであるが、スペーサ自体に装飾性を付与した従来例は存在しない。なおスラット表面に装飾性を施す引例は、上記の他、例えば特開2009-167757や実開昭64-33898等にも開示されているが、これ等全てにおいて、スペーサ自体に装飾を施す構造とはなっていない。
【先行技術文献】
【特許文献】
【０００５】
【特許文献１】特開2010-270435号公報
【特許文献２】特開2009-167757号公報
【特許文献３】実開昭64-33898号公報
【発明の概要】
【発明が解決しようとする課題】
【０００６】
解決しようとする問題点は、従来の横型ブラインドではスラットの傾斜角を変化させるために複雑なギアー構造を使用している点である。特に本願発明のような小窓用横型ブラインドには、複雑なギアー構造は機能、コストの両面から不向きである。又更なる問題点としては、複数のスラットを吊下げる従来のラダーコードは単なる吊下げるという機能性のみを有し、装飾性が全く考慮されていない点にある。
【課題を解決するための手段】
【０００７】
本願発明の小窓用横型ブラインドでは、まず回転ヘッドボックスの長辺端面の中央部に水平方向に突設された回転軸突起を、窓枠の対向する垂直側壁に固定設置された回転軸受けで回転自在に軸支して設置する。なおこの回転ヘッドボックスには従来のような複雑なギアー機構は使用されていない。この回転ヘッドボックスの短辺両端部の室内側近傍から室内側のスラット吊下げコードを、そして短辺両端部の窓側近傍から窓側のスラット吊下げコードをそれぞれ吊下げる。従って吊下げコードは室内側２本、窓側２本、合計で４本である。この吊下げた室内側スラット吊下げコードを複数枚のスラットに挿入し、かつこの室内側スラット吊下げコードを貫入したスペーサにより各上下隣接するスラットを相互に離間保持する。従って各スラッド間にはスペーサが挟まった状態にする。一方吊下げた窓側のスラット吊下げコードを複数枚のスラットの窓側のスラット孔（４１）に挿入し、かつ前記回転自在に軸支された回転ヘッドボックスと平行になるようにこの各上下隣接する各々のスラットに係止させて本願発明の小窓用横型ブラインドを構成する。この状態で回転自在に軸支された前記回転ヘッドボックスを人手により回転操作させると、連動して前記複数枚のスラットも同時に回転し、全てのスラットの水平方向の開閉角度を変化させることが出来るように構成されている。このように窓枠に水平に設置した回転ヘッドボックスを直接手動で回転操作するという単純な構造で、ブラインドの各スラットの開閉を簡便に行うことが出来るので、複雑なギアー構造を必要としない安価な小窓用横型ブラインドを構成することが可能となる。
【０００８】
また更に本願発明では、上記スペーサの垂直外面には装飾物を装着可能とする装飾物装着面を具備させ、この装飾物装着面へ任意の装飾物を装着させることによりブラインド全体の装飾性向上を図るように構成されている。これにより従来の無機質なラダーコードと異なり、小窓用の可愛いデザインを実現することが可能となる。なおこのスペーサは、上記装飾物装着面と装飾物を一体成形した既製品としてもよく、これにより各種デザインを施した多種類のスペーサの中から好みのデザインが施されたスペーサを、利用者はＤＩＹ感覚で選択設置することができる。
【発明の効果】
【０００９】
従来技術のように複雑なギアー構造を使用しなくてもスラットの傾斜角を簡便に変化させることができ、また装飾性ある安価な小窓用横型ブラインドを提供することが出来る。
【図面の簡単な説明】
【００１０】
【図１】図１は本願発明に係る小窓用横型ブラインドの斜視図である。
【図２】図２は図１に示す本願発明に係る小窓用横型ブラインドの側面図である。
【図３】図３はスペーサの装飾物装着面に装飾物を装着させる斜視図である。
【図４】図４は室内側と窓側スラット吊下げコードの両方に本願発明に係るスペーサを配した他の実施例を示す斜視図である。
【図５】図５は窓側スラット吊下げコードにボールチェーンを用いた側面図である。
【発明を実施するための形態】
【００１１】
図１は、本願発明に係る小窓用横型ブラインドの斜視図である。小窓用横型ブラインド１は、回転ヘッドボックス１０、スペーサ２０、スラット吊下げコード３０Ａ、３０Ｂ、スラット４０、およびボトムレール５０で構成されている。
【００１２】
回転ヘッドボックス１０は長辺端面の中央部に設けられた回転軸突起１１が窓際の垂直側壁に固定設置される回転軸受け１２を中心に回転可能である。この回転動作は、人手によって回転ヘッドボックス１０を直接回転させる回転操作により行われる。この際、回転操作がスムーズに行われ且つ回転後は、風を受けてもその回転角度を適度に保持できるように、回転ヘッドボックス１０の回転軸突起１１または回転軸受け１２には図示しない僅かな突起を設け適度な摩擦が生ずるように構成されている。回転ヘッドボックス１０の短辺両端部の近傍には、室内側と窓側からスラット吊下げコード３０Ａ（室内側）、３０Ｂ（窓側）が吊下げられている。この室内側スラット吊下げコード３０Ａにはスペーサ２０が貫入され、スラット４０を一定の距離で離間挟持するように構成されている。また窓側スラット吊下げコード３０Ｂは、図２に示すように回転ヘッドボックス１０が水平方向に対して水平位置にある場合には、スラット４０も水平となるようにスラット４０の窓側端部にストッパー３１等で保持されている。図２（ａ）は回転ヘッドボックス１０が水平位置にあり、従ってその下に吊下げられた複数枚のスラット４０も平行位置にある。一方、図２（ｂ）は回転ヘッドボックス１０を時計回りに手動回転され、その下に吊下げられた複数枚のスラット４０も平行位置にある。なおスラット吊下げコード３０Ａ（室内側）、３０Ｂ（窓側）の下端部は、適度の重さを有するボトムレール５０に固定されているので、複数枚のスラット４０は全体として安定的に回転ヘッドボックス１０の垂直下に吊下げ保持されている。
【００１３】
この構成では複数枚のスラット４０は、スラット吊下げコード３０Ａ（室内側）、３０Ｂ（窓側）により水平に吊下げられているので、回転ヘッドボックス１０を回転軸受け１２を中心に手動回転させると、同時にスラット４０も傾斜回転し、これにより吊下げられている複数枚のスラット４０の傾斜角を任意に変更することができる。この場合、ラダーコードを複雑なギアー構造で動かすことでスラットの角度を変更する従来の横型ブラインドとは異なり、単に回転ヘッドボックス１０を手動で回転させるという極めてシンプルな構成となっている。このため小窓用の安価なブラインドとして使用することが可能となる。
【００１４】
図３（ａ）はスペーサ２０の装飾物装着面２２に装飾物２３を装着させた斜視図である。すなわち本願発明に係るブラインド全体の装飾性向上を図るための装飾性のあるスペーサ２０を図示している。前述のスラット４０は図示する１または複数個のスペーサ２０により相互に離間保持されている。スペーサ２０の上下端はスラット４０が傾斜しても干渉しない程度に鋭角に構成されている。また垂直方向の軸心には吊下げコード貫入孔２１が設けられている。この吊下げコード貫入孔２１には、吊下げコード３０Ａ（室内側）が貫入してスラット４０を吊下げている。吊下げコード貫入孔２１の直径は吊下げコード３０Ａの直径よりも僅かに大きいため、スペーサ２０は上下方向に移動自在であり、自重によりスペーサ１０はスラット４０と密着する。
【００１５】
図３（ｂ）はスペーサ２０の装飾物装着面２２に装飾物２３を一体成形により装着させた斜視図である。すなわち本願発明に係るブラインド全体の装飾性向上を図るための装飾性のあるスペーサ２０には、装飾物装着面２２に任意の装飾物２３を装着しても、またそれ等を一体成形した既製品のスペーサ２０としてもよい。この一体成形したスペーサ２０は、例えば樹脂で形成すれば安価に製造可能である。そのため多種多様のデザインを施した一体成型のスペーサ２０を予め準備すれば、簡便に各種デザインを有する小窓用横型ブラインド１をブラインド製造者はもとより、利用者自身もＤＩＹ感覚で簡単に組み立てることも可能となる。このようにして多種の装飾物２３でブラインド全体のデザイン的印象を変更することが可能となる。
【００１６】
上記スペーサ２０はスラット４０の左右端近くに設けて、ブラインドの複数枚のスラット４０を安定保持する。また最下端のボトムレール５０の底面にある図示しないストッパーを解放してスラット吊下げコード３０Ａを抜き取り、他のデザインを施した装飾物２３をスペーサ２０に装着しスペーサ全体の印象を変えて、任意のデザインを有する小窓用横型ブラインド１を構成することも可能である。また各スペーサ２０の間に上下方向の長さが異なる幾種類かのスペーサ２０を予め設ければ、従来のラダーコードと異なり、それ等のスペーサ２０の長さに従いスラット４０、４０の間隔をブラインドの設置場所に応じて利用者が自分で変更することも可能となる。
【００１７】
なお図３（ｃ）に示すようにスラット孔４１にスペーサの自重がかからないように、接続子２４をスペーサとスペーサの間に置いてもよい。またスペーサ２０は円筒形状でも多角柱形状でもよい。なお装飾物装着面２２は装飾物２３が装着可能であれば具体的な形状は限定しない。例えばスペーサ２０を円筒形とし、装飾物２３をシール状にして装飾物装着面２２の表面に貼り付ける構成としてもよいし、またスペーサ２０を六角柱とし、立体状の装飾物２３を装飾物装着面２２である六角柱の各面に接着剤で貼り付けるようにしてもよい。
【００１８】
図４は、室内側と窓側の両方にスペーサを配した他の実施例を示す斜視図である。この構成では、室内側スラット吊下げコード３０Ａ、窓側３０Ｂスラット吊下げコードの双方にデザイン性を付加するためにスペーサ２０が使用されている。このような構成では、図１、図２のブラインドと異なり、室外からもガラス窓を透かしてデザイン性あるスペーサ２０が見えるので、更にデザイン性が向上する利点を有する。なおこの構成でも回転ヘッドボックス１０を手動で傾斜回転させれば、それに応じてスラット４０，４０も同時に傾斜回転するので、簡便にスラット４０，４０の傾斜角を変化することが可能となる。すなわちラダーコードを動かす複雑なギアー構造は不要となる。
【００１９】
図５は、スラット吊下げコード３０Ｂをボールチェーン３１で構成し、任意の位置でボールストッパ３２を係止させた他の実施例を示している。
【産業上の利用可能性】
【００２０】
本願発明の小窓用横型ブラインド１は、従来の無機質なラダーコードによりスラット２０を吊下げるのではなく、回転ヘッドボックス１０を人手によって回転させるだけで、スラット４０の傾斜角を回転ヘッドボックス１０と同時に変化させることが出来るように構成されているので、複雑なギアー構造を使用しなくとも安価に製造可能である。また吊下げコードにはデザイン性ある任意のスペーサ２０を貫入してスラットを離間挟持するのでブラインド全体の装飾性向上を図ることができる。
【符号の説明】
【００２１】
１      小窓用横型ブラインド
１０    回転ヘッドボックス
２０    スペーサ
３０Ａ  室内側スラット吊下げコード
３０Ｂ  窓側スラット吊下げコード
４０    スラット
５０    ボトムレール
【図１】
0006685674.tif 000002
【図２】
0006685674.tif 000003
【図３】
0006685674.tif 000004
【図４】
0006685674.tif 000005
【図５】
0006685674.tif 000006